(57)【要約】【課題】良好な作業性を長時間維持できる清掃用袋体を提供する。【解決手段】一側の表面３は、拭き取り部材の一例としての不織布５の一部で構成されている。この不織布５の内側には、透湿部材の一例としての透湿性防水シート７を設けている。これにより、内部空間２の湿気が透湿性防水シート７を介して外部に放出される。【選択図】  図２
2004261304.tif 000002
【特許請求の範囲】
【請求項１】
一端に設けられた開口と、この開口に連なる内部空間とを備えた清掃用袋体において、
一側の表面と他側の表面とのうちの少なくとも一方が拭き取り部材で構成されていると共に、上記一側の表面の内側に透湿性部材が設けられている清掃用袋体。
【請求項２】
上記他側の表面の内側に透湿性部材が設けられている請求項１の清掃用袋体。
【請求項３】
上記内部空間が少なくとも２つに分割されている請求項１または２の清掃用袋体。
【発明の詳細な説明】
【０００１】
【発明の属する技術分野】
本発明は例えば病院や介護施設などの清掃に使用される清掃用袋体に関する。
【０００２】
【従来の技術】
従来、清掃用袋体としては、特開平１０−１４８４０号公報（以下、特許文献１と言う）に開示されたものがある。この特許文献１の清掃用袋体は、図１３に示すように、一面側に掻き取り性に優れた掻き取り素材１３１と、この掻き取り素材１３１の裏面側に一体化された拭き取り性に優れた拭き取り素材１３２と、掻き取り素材１３１および拭き取り素材１３２の内側に配置された袋状の防水性袋１３３とを備えている。
【０００３】
例えば、上記構成の清掃用袋体を用いて台所回りのレンジや壁などを清掃する場合、そのレンジや壁などに付着した汚れを掻き取り素材１３１で剥ぎ落とす。そして、上記掻き取り素材１３１で剥ぎ落とした汚れを、拭き取り性に優れた拭き取り素材１３２で拭き取る。このような清掃業時においては、防水性袋１３３内に手を挿入しているので、掻き取り素材１３１や拭き取り素材１３２が吸収した液状洗剤などによって手が濡れない。
【０００４】
【特許文献１】
特開平１０−１４８４０号公報
【０００５】
【発明が解決しようとする課題】
ところで、上記特許文献１の清掃用袋体では、通気性の悪い防水性袋１３３内に手を挿入して清掃作業を行うので、清掃作業を長時間続けると、手が蒸れてしまう。したがって、清掃作業が長引くにしたがって、作業性が悪くなって行くという問題がある。
【０００６】
そこで、本発明の目的は、良好な作業性を長時間維持できる清掃用袋体を提供することにある。
【０００７】
【課題を解決するための手段】
上記目的を達成するため、請求項１の清掃用袋体は、一端に設けられた開口と、この開口に連なる内部空間とを備えた清掃用袋体において、一側の表面と他側の表面とのうちの少なくとも一方が拭き取り部材で構成されていると共に、上記一側の表面の内側に透湿性部材が設けられている。
【０００８】
上記請求項１の清掃用袋体を用いて清掃作業を行う場合、例えば手を上記開口から内部空間に挿入して、被清掃物を拭き取り部材で拭き取る。このとき、上記一側の表面の内側に透湿性部材が設けられているので、内部空間の一側の表面側において、内部空間の湿気が透湿性部材を介して外部に放出される。その結果、清掃作業を長時間続けても、内部空間の湿度が高くならず、手が蒸れない。したがって、良好な作業性を長時間維持できる。
【０００９】
請求項２の清掃用袋体は、上記他側の表面の内側に透湿性部材が設けられている。
【００１０】
上記請求項２の発明の清掃用袋体は、上記他側の表面の内側に透湿性部材が設けられているので、内部空間の他側の表面側においても、内部空間の湿気が透湿性部材を介して外部に放出されるので、内部空間の湿気が外部に放出される効率が向上する。その結果、清掃作業をより長時間続けても、内部空間の湿度が高くならず、手が蒸れない。したがって、良好な作業性をより長時間維持できる。
【００１１】
請求項３の清掃用袋体は、上記内部空間が少なくとも２つに分割されている。
【００１２】
上記請求項３の清掃用袋体は、例えば手を上記内部空間に挿入した場合、内部空間が少なくとも２つに分割されているので、内部空間と手との間の隙間が減少し、手による保持性が向上する。また、分割された部分を指で挟み込むことができ、手からの抜けを防止できる。
【００１３】
【発明の実施の形態】
以下、本発明の清掃用袋体を図示の実施の形態により詳細に説明する。
【００１４】
（実施の形態１）
図１に、本発明の実施の形態１の清掃用袋体を斜め下方から見た模式図を示す。この清掃用袋体は被清掃物を片面のみで拭き取るものである。
【００１５】
上記清掃用袋体は、手形状をしていると共に、一端に設けられた開口１と、この開口１に連なる内部空間２とを備えている。この内部空間２は複数の空間から成り、その複数の空間の夫々に手の各部が挿入される。
【００１６】
また、図２に示すように、上記内部空間２に手を挿入したときに手の平側に位置する一側の表面３は、拭き取り部材の一例としての不織布５の一部で構成されている。この不織布５の内側には、透湿部材の一例としての透湿性防水シート７を設けている。この透湿性防水シート７は、不織布５に沿って設けられ、不織布５の内面に密着している。一方、上記内部空間２に手を挿入したときに手の甲側に位置する他側の表面４は、防水シート６の一部で構成されている。この防水シート６は、不織布５の内面側において不織布５と一体化されている。
【００１７】
上記不織布５としては、吸塵性、耐摩耗性および生産性に優れている繊維材料からなる不織布が好ましい。このような性質を備えた好ましい不織布としては、例えば、スパンレース不織布、スパンボンド不織布、サクション不織布、ヒートボンド不織布およびメルトブローン不織布などがある。
【００１８】
上記防水シート６は液体および湿気を通さない働きをする。つまり、上記防水シート６は、液も通さず、通気性も有しないシートである。上記防水シート６の素材としては、ポリオレフィン樹脂、ポリエステル樹脂、ポリ塩化ビニル樹脂などが用いられている。
【００１９】
上記防水シート６の製造方法としては、無延伸法（薄く溶出させたフイルムをそのまま冷却成形する方法）と、延伸法（溶出したフイルムを縦方向、もしくは縦横両方向に引っ張りながら冷却成形する方法）とがある。上記無延伸法でポリエチレン樹脂を成形したフィルムは、風合い、製造の簡便さ、コストなどの面から好ましい。
【００２０】
上記透湿性防水シート７は、液体や細菌を通さないが、湿気を通す働きをする。つまり、上記透湿性防水シート７は、液や細菌は通さず、通気性を有するシートである。このような透湿性防水シートの水蒸気透過度は、ＪＩＳ−Ｋ７１２９の試験方法において、１０００〜８０００ｇ／（ｍ２・ｄａｙ）が好ましく、４０００〜６０００ｇ／（ｍ２・ｄａｙ）がより好ましい。上記透湿性防水シート７の素材としては、ポリオレフィン樹脂、ポリエステル樹脂、ポリ塩化ビニル樹脂などが用いられている。
【００２１】
上記透湿性防水シート７の製造方法としては、以下の（ａ）〜（ｅ）で示す方法がある。
（ａ）  特開昭６２−２８８６４０号公報に記載されているように、ポリオレフィン樹脂などに充填剤を混練し、溶融成形加工したフィルムを延伸して製造する。
（ｂ）  特開平９−２５５８０５号公報に記載されているように、２種類以上のポリオレフィン樹脂などを混練し、溶融成形加工したフィルムを延伸して製造する。
（ｃ）特開平８−８４７４９号公報に記載されているように、フィルム自体に通気性を持たせたものを用いて製造する。
（ｄ）  米国特許第３９５３５６６号明細書に記載されているように、ポリオレフィン樹脂などに充填剤を混練し、溶融成形加工時に薬品処理・熱処理を加えて製造する。
（ｅ）  ポリエチレン樹脂と炭酸カルシウムを混練して溶融成形・延伸したフィルムを用いて製造する。
【００２２】
上述した（ａ）〜（ｅ）の中でも、風合い、製造の簡便さ、コストなどの面から、（ａ）が好ましく、（ｅ）が特に好ましい。
【００２３】
上記構成の清掃用袋体を用いて清掃作業を行う場合、手を開口１から内部空間２に挿入して、被清掃物を不織布５で拭き取る。このとき、上記不織布５の内側に透湿性防水シート７を設けているので、内部空間２の手の平側（不織布５側）において、内部空間２の湿気が透湿性防水シート７を介して外部に放出される。その結果、清掃作業を長時間続けても、内部空間２の湿度が高くならず、手が蒸れない。したがって、良好な作業性を長時間維持できる。
【００２４】
また、上記不織布５に吸収された液体、例えば液状洗剤や汚水などは透湿性防水シート７を通過しない。したがって、上記液状洗剤や汚水などが手に付着するのを防ぐことができる。
【００２５】
また、上記不織布５に吸収された液体が手に付着しないので、液状洗剤や水などを不織布５に染み込ませて清掃作業を行うことにより、手を濡らさずに、乾拭きでは落ち難い汚れを除去できる。
【００２６】
また、乾燥した状態のちりやほこり、又は、湿ったあるいは濡れた状態のちりやほこりを不織布５で拭き取っても、それらのちりやほこりは透湿性防水シート７を通過しないので、手の汚れを阻止できる。
【００２７】
また、細菌を含む被清掃物を不織布５で拭き取っても、その細菌は透湿性防水シート７を通過しないので、手が細菌で汚染されるのを阻止できる。したがって、病院や介護施設などの清掃作業において、清掃人が細菌に感染するのを防ぐことができる。
【００２８】
上記実施の形態１では、シート状の不織布５を透湿性防水シート７の外側に設けていたが、不織布以外の布を透湿性防水シート７の外側に設けてもよい。つまり、上記不織布５の代わりに不織布以外の布を用いてもよい。
【００２９】
本明細書中において、不織布以外の布とは、織物、編物、フェルトおよび綿を指す。
【００３０】
上記織物とは、たて糸とよこ糸を組み合わせて、機（はた）で織ったものを指す。上記織物の具体例としては、原料により、綿織物、絹織物および毛織物などがある。
【００３１】
上記編物とは、１本、あるいは数本の糸でループを作り、そのループに次の糸を引っ掛けて新しいループを作ることことを連続して作ったものを指す。上記糸としては、毛糸やレース糸などが使用される。
【００３２】
上記フェルトとは、毛の絡み合う性質を利用して、羊毛などの毛を縮絨させて固めたものを指す。このようなフェルトは、帽子、敷物および履物などの材料として用いられる。
【００３３】
また、上記防水シート６の代わりに透湿性防水シートを用いてもよい。この場合、内部空間２の手の甲側（他側の表面４側）においても、内部空間２の湿気がその透湿性防水シートを介して外部に放出されるので、内部空間２の湿気が外部に放出される効率が向上する。その結果、清掃作業をより長時間続けても、内部空間２の湿度が高くならず、手が蒸れない。したがって、良好な作業性をより長時間維持できる。
【００３４】
また、上記防水シート６の代わりに織物、編物、フェルト、綿および不織布のいずれか１つを用いてもよい。この場合、上記織物、編物、フェルト、綿および不織布は、吸塵性、耐摩耗性および生産性に優れている繊維材料からなるものでもよい。あるいは、上記織物、編物、フェルト、綿および不織布は、吸塵性や耐摩耗性に優れていない繊維材料からなるものでもよい。
【００３５】
また、上記透湿性防水シート７の代わりに防水シートを用いると共に、防水シート６の代わりに透湿性防水シートを用いてもよい。
【００３６】
また、吸塵性や耐摩耗性に優れていない繊維材料からなる布で他側の表面４を覆うことにより、美観を向上させてもよい。なお、上記布は、織物、編物、フェルト、綿および不織布のうちのいずれか１つである。
【００３７】
（実施の形態２）
図３に、本発明の実施の形態２の清掃用袋体の模式断面図を示す。この清掃用袋体は被清掃物を両面で拭き取るものである。また、上記清掃用袋体の外形は、上記実施の形態１と同様である。
【００３８】
上記清掃用袋体は、手形状をしていると共に、一端に設けられた開口２１と、この開口２１に連なる内部空間２２とを備えている。この内部空間２２は複数の空間から成り、その複数の空間の夫々に手の各部が挿入される。
【００３９】
上記内部空間２２に手を挿入したときに手の平側に位置する一側の表面２３は、拭き取り部材の一例としての不織布２５の一部で構成されている。この不織布２５の内側には、透湿部材の一例としての透湿性防水シート２７を設けている。この透湿性防水シート２７は、不織布２５に沿って設けられ、不織布２５の内面を密着している。一方、上記内部空間２２に手を挿入したときに手の甲側に位置する他側の表面２４も、拭き取り部材の一例としての不織布２６の一部で構成されている。上記不織布２６は、不織布２５の内面側において不縮布２５と一体化されている。そして、上記不織布２６の内側には防水シート２８を設けている。この防水シート２８は、不織布２６に沿って設けられ、不織布２６の内面を密着している。
【００４０】
これらの不織布２５，２６としては、吸塵性、耐摩耗性および生産性に優れている繊維材料からなる不織布が好ましい。このような性質を備えた好ましい不織布としては、例えば、スパンレース不織布、スパンボンド不織布、サクション不織布、ヒートボンド不織布およびメルトブローン不織布などがある。
【００４１】
上記透湿性防水シート２７は、液体や細菌を通さないが、湿気を通す働きをする一方、防水シート２８は液体および湿気を通さない働きをする。このような透湿性防水シートの水蒸気透過度は、ＪＩＳ−Ｋ７１２９の試験方法において、１０００〜８０００ｇ／（ｍ２・ｄａｙ）が好ましく、４０００〜６０００ｇ／（ｍ２・ｄａｙ）がより好ましい。また、上記透湿性防水シート２７および防水シート２８は、上記実施の形態１と同様にして製造することができる。
【００４２】
上記構成の清掃用袋体を用いて清掃作業を行う場合、手を開口２１から内部空間２２に挿入して、被清掃物を不織布２５で拭き取る。その後、上記不織布２５の清掃能力が低下した場合、被清掃物を不織布２６で拭き取る。このような清掃作業を行っているとき、不織布２５の内側に透湿性防水シート２７を設けているので、内部空間２２の手の平側（不織布２５側）において、内部空間２２の湿気が透湿性防水シート２７を介して外部に放出される。その結果、清掃作業を長時間続けても、内部空間２の湿度が高くならず、手が蒸れない。したがって、良好な作業性を長時間維持できる。
【００４３】
また、上記不織布２５，２６に吸収された液体、例えば液状洗剤や汚水などは透湿性防水シート２７および防水シート２８を通過しない。したがって、上記液状洗剤や汚水などが手に付着するのを防ぐことができる。
【００４４】
また、上記不織布２５，２６に吸収された液体が手に付着しないので、液状洗剤や水などを不織布２５，２６に染み込ませて清掃作業を行うことにより、手を濡らさずに、乾拭きでは落ち難い汚れを除去できる。
【００４５】
また、乾燥した状態のちりやほこり、又は、湿ったあるいは濡れた状態のちりやほこりを不織布２５，２６で拭き取っても、それらのちりやほこりは透湿性防水シート２７および防水シート２８を通過しないので、手の汚れを阻止できる。
【００４６】
また、細菌を含む被清掃物を不織布２５，２６で拭き取っても、その細菌は透湿性防水シート２７および防水シート２８を通過しないので、細菌で手が汚染されるのを阻止できる。したがって、病院や介護施設などの清掃作業において、清掃人が細菌に感染するのを防ぐことができる。
【００４７】
上記実施の形態２では、不織布２５，２６を拭き取り部材の一例として用いていたが、不織布以外の布を拭き取り部材の一例として用いてもよい。つまり、上記不織布２５，２６の代わりに不織布以外の布を用いてもよい。
【００４８】
また、上記防水シート２８の代わりに透湿性防水シートを用いてもよい。この場合、内部空間２２の手の甲側（他側の表面２４側）においても、内部空間２２の湿気がその透湿性防水シートを介して外部に放出されるので、内部空間２の湿気が外部に放出される効率が向上する。その結果、清掃作業をより長時間続けても、内部空間２２の湿度が高くならず、手が蒸れない。したがって、良好な作業性をより長時間維持できる。
【００４９】
また、上記透湿性防水シート２７の代わりに防水シートを用いると共に、防水シート２８の代わりに透湿性防水シートを用いてもよい。
【００５０】
上記実施の形態１および２の清掃用袋体の形状は、手形状であったが、図４〜１２に示すような形状であってもよい。
【００５１】
図４の清掃用袋体は、ミトン形状をしていると共に、親指を内部に収容する親指収容部４１と、親指以外の指を内部に収容する複数指収容部４２とを備えている。
【００５２】
図５の清掃用袋体は、ミトン形状をしていると共に、親指を内部に収容する親指収容部５１と、親指以外の指を内部に収容する複数指収容部５２とを備えている。この複数指収容部５２の先端部は、表部材と裏部材とを縫い合わせることにより形成された仕切り部５３を有している。この仕切り部５３により、複数指収容部５２の内部空間は２つに分割されている。この場合、上記複数指収容部５２の内面と指との密着性が高くなり、手による保持性が向上する。
【００５３】
図６の清掃用袋体は、３指形状をしていると共に、親指を内部に収容する親指収容部６１と、人差指および中指を内部に収容する第１の複数指収容部６２と、薬指および小指を内部に収容する第２の複数指収容部６３とを備えている。
【００５４】
図７の清掃用袋体は有底筒形状をしている。この場合、図４〜６の清掃用袋体よりも、被清掃物に接触させる清掃面７１を広くできる。
【００５５】
図８の清掃用袋体は有底筒形状をしている。また、上記清掃用袋体は、表部材と裏部材とを縫い合わせることにより形成された仕切り部８１を先端部に有している。この仕切り部８１により、清掃用袋体の内部空間は２つに分割されている。この場合、図５の清掃用袋体の効果を奏すると共に、図７の清掃用袋体の効果も奏する。
【００５６】
図９の清掃用袋体は有底筒形状をしている。また、上記清掃用袋体は、表部材と裏部材とを縫い合わせることにより形成された仕切り部９１，９１を先端部に有している。この２つの仕切り部９１，９１により、清掃用袋体の内部空間は３つに分割されている。この場合、図５の清掃用袋体の効果を奏すると共に、図７の清掃用袋体よりも手による保持性が向上する。
【００５７】
図１０の清掃用袋体は、２指形状をしていると共に、親指、人差指および中指を内部に収容する第１の複数指収容部１０１と、薬指および小指を内部に収容する第２の複数指収容部１０２とを備えている。
【００５８】
図１１の清掃用袋体は、３指形状をしていると共に、親指および人差指を内部に収容する第１の複数指収容部１１１と、中指を内部に収容する中指収容部１１２と、薬指および小指を内部に収容する第２の複数指収容部１１３とを備えている。
【００５９】
図１２の清掃用袋体は、手形状をしていると共に、各指を内部に収容する第１〜第５の指挿入部１２１〜１２５を備えている。この第１〜第５の指挿入部１２１〜１２５の長さは略揃っている。
【００６０】
図４〜１２の清掃用袋体を正面から見た場合、図４〜６の清掃用袋体は左右非対称であるが、図７〜１２の清掃用袋体は左右対称となっている。このように、図７〜１２の清掃用袋体は左右対称であるから、右手にはめたときに手の平側に位置する清掃面を、左手にはめたときも手の平側に位置させることができる。したがって、図７〜１２の清掃用袋体が被清掃物を片面のみで拭き取るものであっても、その清掃用袋体において利き手の制限がない。
【００６１】
【発明の効果】
以上より明らかなように、請求項１の発明の清掃用袋体によれば、一側の表面の内側に透湿性部材が設けられているので、内部空間の湿気が透湿性部材を介して外部に放出される。したがって、例えば手を開口から内部空間に挿入して清掃作業を行う場合、清掃作業を長時間続けても、手が蒸れず、良好な作業性を長時間維持できる。
【図面の簡単な説明】
【図１】図１は本発明の実施の形態１の清掃用袋体を斜め下方から見た模式図である。
【図２】図２は上記実施の形態１の清掃用袋体の模式断面図である。
【図３】図３は本発明の実施の形態２の清掃用袋体の模式断面図である。
【図４】図４は本発明の清掃用袋体の変形例を斜め下方から見た模式図である。
【図５】図５は本発明の清掃用袋体の変形例を斜め下方から見た模式図である。
【図６】図６は本発明の清掃用袋体の変形例を斜め下方から見た模式図である。
【図７】図７は本発明の清掃用袋体の変形例を斜め下方から見た模式図である。
【図８】図８は本発明の清掃用袋体の変形例を斜め下方から見た模式図である。
【図９】図９は本発明の清掃用袋体の変形例を斜め下方から見た模式図である。
【図１０】図１０は本発明の清掃用袋体の変形例を斜め下方から見た模式図である。
【図１１】図１１は本発明の実施の一形態の清掃用袋体の模式正面図である。
【図１２】図１２は本発明の清掃用袋体の変形例を斜め下方から見た模式図である。
【図１３】図１３は従来の清掃用袋体の側断面図である。
【符号の説明】
１，２１  開口
２，２２  内部空間
３，２３  一側の表面
４，２４  他側の表面
５，２５，２６  不織布
７，２７  透湿性防水シート
【図１】
2004261304.tif 000003
【図２】
2004261304.tif 000004
【図３】
2004261304.tif 000005
【図４】
2004261304.tif 000006
【図５】
2004261304.tif 000007
【図６】
2004261304.tif 000008
【図７】
2004261304.tif 000009
【図８】
2004261304.tif 000010
【図９】
2004261304.tif 000011
【図１０】
2004261304.tif 000012
【図１１】
2004261304.tif 000013
【図１２】
2004261304.tif 000014
【図１３】
2004261304.tif 000015